(57)【特許請求の範囲】
【請求項１】
排出される記録媒体を受ける受け装置を備えたプリンタにおいて、
前記受け装置は、
矩形状に形成された柔軟性を有するシート部材と、
記録媒体の排出方向における前記シート部材の両端部、及びその中間部を係留する複数のシャフトと、
任意の位置に配置可能であって、前記シャフトの端部を係止可能な複数の係止部材と、を備え、
前記シャフトのうち、前記シート部材の中間部を係留するシャフトは、
所定間隔をあけて平行に配置された長さの異なる２本のシャフトと、
前記２本のシャフトを一体に固定保持する接続部材と、を備え、
前記２本のシャフトのうち、
長さが短いシャフトの両端部は、前記接続部材に固定され、
長さが長いシャフトの両端部は、前記接続部材を貫通して前記係止部材に回転可能に支持されることを特徴とするプリンタ。
【請求項２】
前記長さが長いシャフトの両端部には、抜け防止キャップが取り付けられていることを特徴とする請求項１に記載のプリンタ。
【発明の詳細な説明】
【０００１】
【発明の属する技術分野】
本発明は、排出される記録媒体を受ける受け装置及びその受け装置を備えたプリンタに関する。
【０００２】
【従来の技術】
プリンタには、比較的大型のサイズの記録媒体、例えばＪＩＳ規格のＡ１判やＪＩＳ規格のＢ１判の幅の印刷用のロール紙に印刷できる大型のプリンタがある。このような大型のプリンタの場合、印刷が完了したロール紙は、通常はプリンタ本体の下方に配設された排紙受け装置により受け取られるようになっている。この排紙受け装置は、比較的短い長さで切断されるロール紙の場合は積み重ねが可能であるのでプリンタの後方側にて受け取り、比較的長い長さで切断されるロール紙の場合は即座に取り出せるようにプリンタの前方側にて受け取るように構成されている。
【０００３】
【発明が解決しようとする課題】
上述した従来の排紙受け装置は、比較的大型のサイズのロール紙に対応するため、プリンタ本体の前後に飛び出た形で配設されている。このため、プリンタを移動させる際に邪魔になるので、プリンタ運搬時には排紙受け装置をプリンタから取り外す必要があり、手間が掛かっている。また、本来であれば積み重ねが可能であるので後方側にて受け取るべきサイズのロール紙、例えばＢ１縦以上Ｂ０ノビサイズ以下のロール紙は、排紙受け装置の後方側に余裕がないために前方側で受け取っており、印刷枚数が多くなると取り出しに手間が掛かるようになる。
【０００４】
本発明は、上記のような種々の課題に鑑みなされたものであり、その目的は、運搬時や記録媒体の排出時等における使用態様を容易に変更することができる記録媒体の受け装置及びその受け装置を備えたプリンタを提供することにある。
【０００５】
【課題を解決するための手段】
上記目的達成のため、本発明の請求項に係るプリンタでは、排出される記録媒体を受ける受け装置を備えたプリンタにおいて、前記受け装置は、矩形状に形成された柔軟性を有するシート部材と、記録媒体の排出方向における前記シート部材の両端部、及びその中間部を係留する複数のシャフトと、任意の位置に配置可能であって、前記シャフトの端部を係止可能な複数の係止部材と、を備え、前記シャフトのうち、前記シート部材の中間部を係留するシャフトは、所定間隔をあけて平行に配置された長さの異なる２本のシャフトと、前記２本のシャフトを一体に固定保持する接続部材と、を備え、前記２本のシャフトのうち、長さが短いシャフトの両端部は、前記接続部材に固定され、長さが長いシャフトの両端部は、前記接続部材を貫通して前記係止部材に回転可能に支持されることを特徴としている。
【０００６】
これにより、垂れ落ちているシート部材の一部を、巻き取りのずれを防止しながらシャフトとシャフトの周りに容易に巻き取ることができる。その結果、排紙受け装置の使用態様の変更を容易に行うことができる。
【０００７】
また、本発明の請求項に係るプリンタでは、前記長さが長いシャフトの両端部には、抜け防止キャップが取り付けられていることを特徴としている。これにより、巻き取りの際、シート部材がシャフトから抜けることを防止することができる。
【０００８】
また、本発明の請求項に係る受け装置では、前記係止部材は、係止している前記各シャフトの軸が平行となるように配設されていることを特徴としている。これにより、記録媒体に皺等を付けずに受けることができる受け部の形状にすることができ、記録媒体の品質を高品質に維持することができる。
【０００９】
上記目的達成のため、本発明の請求項に係るプリンタでは、記録媒体の供給部、記録部、排出部、脚部がこの順で上部から配設されており、供給され記録され排出される記録媒体を受ける受け装置を備えたプリンタにおいて、前記受け装置は、矩形状に形成され、両端部及びその中間部が複数のシャフトにそれぞれ沿って係留された柔軟性を有するシート部材と、前記脚部に取り付けられて任意の位置に配置可能であって、前記各シャフトの端部を係止可能な係止部材とを備え、当該係止部材は、装置上部前方に設けられ、装置前方に高さを変えずに移動させて任意の位置に配置することが可能な前部上フックと、当該前部上フックの下方に設けられた前部下フックと、当該前部下フックからみて後方に設けられた後部フックとを有し、前記係止部材の前記前部上フック、前記前部下フック、及び前記後部フックの配置形態、及び当該配置形態における前記シート部材の係止形態で、当該シート部材自体の形態を変化させることにより使用態様を変更することが可能なことを特徴としている。
【００１０】
これにより、係止部材を所望の位置に配置してシャフトを持って所望の係止部材に掛け、シート部材を折り畳み、折り曲げ、あるいは伸ばして所望の記録媒体の受け部を形成すことができるので、使用態様の変更作業を簡易に行うことができ、さらに、例えばプリンタの運搬作業のときに邪魔になることはなく、また所定のサイズの記録媒体の取り出し作業をプリンタの前面側から容易に行うことができるようになる。
【００１１】
また、本発明の請求項に係るプリンタでは、前記係止部材は、係止している前記各シャフトの軸が平行となるように配設されていることを特徴としている。これにより、記録媒体に皺等を付けずに受けることができる受け部の形状にすることができ、記録媒体の品質を高品質に維持することができる。
【００１２】
【発明の実施の形態】
以下、図面に基づいて本発明の実施の形態について詳細に説明する。
【００１３】
図１は、本発明の実施の形態に係るプリンタの構成例を示す斜視図であり、図２は、そのプリンタの主要部の内部構成例を示す斜視図である。図１及び図２に示すプリンタ１００は、例えばＪＩＳ規格のＡ１判やＪＩＳ規格のＢ１判といった比較的大型のサイズの印刷用紙にまで印刷できる大型のインクジェット式プリンタであり、給紙部１１０、印刷部１２０、排紙部１３０、脚部１４０がこの順で上部から配設された構成となっている。給紙部１１０は一体化された印刷部１２０と排紙部１３０に対して分離可能に構成されており、これらはプリンタ本体として構成されている。そして、このプリンタ本体は脚部１４０に対して分離可能に構成されている。
【００１４】
給紙部１１０は、図１に示すように、印刷部１２０の上部後方に突き出るように設けられている。そして、給紙部１１０の内部には、図２に示すように、２本のロール紙（印刷用紙）がセット可能なロール紙ホルダ１１１が斜め上下に設けられ、給紙部１１０の前面には、図１及び図２に示すように、跳ね上げ式の開閉可能なロール紙カバー１１２がロール紙ホルダ１１１を覆うように取り付けられている。
【００１５】
ロール紙ホルダ１１１は、図２に示すように、ロール紙を保持するスピンドル１１３と、給紙部１１０の両側壁内面に取り付けられて、スピンドル１１３の着脱及び懸架が可能な一対のスピンドル受け１１４、１１５を備えている。そして、スピンドル１１３は、中央にロール紙が装着された後、両端がスピンドル受け１１４、１１５に装着され、回転可能に軸支持されるようになっている。ロール紙カバー１１２は、図１及び図２に示すように、上部が回動可能に支持されており、下部を持って持ち上げ、あるいは押し下げることにより開閉するようになっている。
【００１６】
印刷部１２０は、図２に示すように、プリントヘッド１２１を搭載したキャリッジ１２２、プリントヘッド１２１と印刷を実行する為の図示しない制御部とを接続するフレキシブルフラットケーブル（以下、ＦＦＣという）１２３、プリントヘッド１２１とインクが入った図示しないインクカートリッジとをつなぐインクチューブ１２４、ロール紙を副走査方向に搬送する図示しない紙送りローラ、ロール紙の浮き上がりを防止する図示しない紙吸引手段等を備えている。そして、印刷部１２０の上面及び前面には、図１及び図２に示すように、上蓋１２５及び前蓋１２６がプリントヘッド１２１やキャリッジ１２２等を覆うように取り付けられている。
【００１７】
プリントヘッド１２１は、ブラックインクを吐出するブラックインク用プリントへッドと、イエロー、ライトシアン、シアン、ライトマゼンタ、マゼンタ等の各色のインクを吐出する複数のカラーインク用プリントヘッドとを備えている。そして、プリントヘッド１２１は、圧力発生室とそれに繋がるノズル開口が設けられており、圧力発生室内にインクを貯留して所定圧で加圧することにより、ノズル開口からロール紙に向けてコントロールされた大きさのインク滴を吐出するようになっている。
【００１８】
キャリッジ１２２は、図２に示すように、主走査方向に設けられているレール１２７にコロを介して吊り下げられ、キャリッジベルト１２８に連結されており、図示しないキャリッジ駆動装置によってキャリッジベルト１２８が作動すると、キャリッジベルト１２８の動きに連行され、レール１２７に案内されて往復移動するようになっている。
【００１９】
ＦＦＣ１２３は、一端が制御部のコネクタに接続され、他端がプリントヘッド１２１のコネクタに接続されており、印刷信号を制御部からプリントヘッド１２１に送るようになっている。インクチューブ１２４は、各色のインク用が配設されており、図示しないインク加圧供給手段を介して各一端が対応する各色のインクカートリッジにつながれ、各他端が対応する各色のプリントヘッド１２１につながれている。
【００２０】
そして、インクチューブ１２４は、インク加圧供給手段によって加圧された各色のインクをインクカートリッジからプリントヘッド１２１に送るようになっている。前蓋１２６は、図１及び図２に示すように、下部が回動可能に支持されており、上部を持って押し下げ、あるいは押し上げることにより開閉するようになっている。
【００２１】
排紙部１３０は、図１及び図２に示すように、ロール紙を副走査方向に搬送する経路の一部を成す排紙ガイド１３１と、ロール紙を副走査方向に搬送する図示しない排紙ローラを備えている。また、排紙部１３０の前面側から見て右側には、図１及び図２に示すように、インクカートリッジを収納保持するカートリッジホルダ１５０が配設されている。
【００２２】
脚部１４０は、図１及び図２に示すように、移動用のコロ１４１を有する２本の支持柱１４２と、これらの支持柱１４２の間に掛け渡されている補強棒（支持柱）１４３を備えている。そして、支持柱１４２の上部にプリンタ本体１１０、１２０、１３０が載置されネジ止め固定されるようになっている。
【００２３】
このような構成において、インクジェット式プリンタ１００を使用する場合は、先ず、給紙部１１０からロール紙ホルダ１１１を構成するスピンドル１１３を取り出し、図３に示すように、スピンドル１１３に挿入されているロール紙押さえ１１３ａをスピンドル１１３の一端から引き抜く。
【００２４】
そして、図４に示すように、スピンドル１１３の一端をロール紙Ｒの軸穴Ｃの一端から挿入して貫通させ、図５に示すように、ロール紙Ｒの軸穴Ｃの一端をスピンドル１１３の他端側に挿入固定されているロール紙押さえ１１３ｂにはめ込んで当接させる。続いて、ロール紙押さえ１１３ａをスピンドル１１３の一端から挿入して、ロール紙Ｒの軸穴Ｃの他端にはめ込む。これにより、ロール紙Ｒはスピンドル１１３と共に回転可能となる。
【００２５】
次に、図６に示すように、ロール紙Ｒが挿入されたスピンドル１１３の両端を持ってインクジェット式プリンタ１００の前後方向に対して斜めに向けた状態、すなわちロール紙Ｒが挿入されたスピンドル１１３の他端側を一方のスピンドル受け１１４に向けた状態にする。
【００２６】
ここで、このスピンドル受け１１４は水平方向に回転可能に構成されており、通常はスピンドル１１３の端部を受ける各スピンドル受け１１４、１１５の窪み１１４ａ、１１５ａは対向させておくが、ロール紙Ｒが挿入されたスピンドル１１３をセットするときは、図７に示すように、一方のスピンドル受け１１４を回転させて他方のスピンドル受け１１５に対して約４５度の角度を付けておく。
【００２７】
その後、ロール紙Ｒが挿入されたスピンドル１１３の他端部を一方のスピンドル受け１１４の窪み１１４ａに掛け、ロール紙Ｒが挿入されたスピンドル１１３と共にそのスピンドル受け１１４を回転させる。そして、各スピンドル受け１１４、１１５の窪み１１４ａ、１１５ａを対向させて、ロール紙Ｒが挿入されたスピンドル１１３の一端部を他方のスピンドル受け１１５の窪み１１５ａに掛ける。これにより、ロール紙Ｒが挿入されたスピンドル１１３を給紙部１１０に容易にセットすることができる。
【００２８】
次に、図８に示すように、ロール紙Ｒの先端を下方に引き出して印刷部１２０の搬送経路を通し、さらに図９に示すように、排紙部１３０の搬送経路まで通す。そして、図１０に示すように、ロール紙Ｒを巻き取り方向に回転させてロール紙Ｒの先端を例えば排紙ガイド１３１に形成されているマーカＭに位置決めする。その後、インクジェット式プリンタ１００を起動して、ロール紙Ｒを副走査方向に給紙しつつプリントヘッド１２１を主走査方向に移動させながらインク滴を吐出させ、ロール紙Ｒに所定の情報を印刷して排紙する。
【００２９】
図１１及び図１２は、本発明の特徴的な部分である記録媒体の受け装置の概略を示す斜視図である。この受け装置４００は、図１１に示す脚部１４０の各支持柱１４２の後部に配設された一対の後部フック部材４１０、各支持柱１４２の前部の上部に配設された前部上フック部材４２０及び各支持柱１４２の前部の下部に配設された前部下フック部材４３０と、図１２に示す別体とされているシート部材４４０を備えている。各フック部材４１０、４２０、４３０は、脚部１４０の中心線に対して対称となるように配設されている。
【００３０】
各後部フック部材４１０は、図２１にも示すように、ピン状に形成されて各支持柱１４２の後部上面にそれぞれ立設されている。各前部上フック部材４２０は、前部上フック４２１と、この前部上フック４２１を保持するフックホルダ４２５（図１４参照）が各支持柱１４２の前部の上部に対向するようにそれぞれ配設されている。各前部下フック部材４３０も、前部下フック４３１と、この前部下フック４３１を保持するフックホルダ４３５が各支持柱１４２の前部の下部に対向するようにそれぞれ配設されている。なお、前部上フック４２１と前部下フック４３１は、長さが異なるのみで他の構成は同一である。
【００３１】
図１３（Ａ）、（Ｂ）、（Ｃ）は、前部上フック４２１（前部下フック４３１）の詳細を示す三面図である。この前部上フック４２１（前部下フック４３１）は、ステンレス等の金属で成る棒材４２２（４３２）の先端がＵ字状に曲げられており、後端にプラスチックで成る保持材４２３（４３３）がはめ込まれた構成となっている。この保持材４２３（４３３）には、後で詳述する案内部４２３ａ（４３３ａ）及び係止部４２３ｂ（４３３ｂ）が突出形成されている。
【００３２】
図１４は、フックホルダ４２５の詳細を示す斜視図である。このフックホルダ４２５は、第１のフックホルダ４２６と第２のフックホルダ４２７を備えている。第１のフックホルダ４２６には、上記保持材４２３の案内部４２３ａが挿入可能な一端側から他端側に貫通した第１の溝部４２６ａと、この第１の溝部４２６ａ内に形成され、上記棒材４２２がスライド可能にはめ込まれる第２の溝部４２６ｂが形成されている。
【００３３】
第２のフックホルダ４２７には、上記保持材４２３の案内部４２３ａが挿入可能な一端が閉じた溝部４２７ａと、この溝部４２７ａの閉じた端部内に形成され、上記保持材４２３の係止部４２３ｂが着脱される凹部４２７ｂが形成されている。そして、第１のフックホルダ４２６と第２のフックホルダ４２７は、第１の溝部４２６ａと溝部４２７ａが間隔をあけて連なるように配設されている。
【００３４】
このような構成において、各前部上フック部材４２０の前部上フック４２１は、図１１に示すように、図示矢印ａ方向、すなわちインクジェット式プリンタ１００の前面方向に引き出し・背面方向に押し込み可能になっている。すなわち、前部上フック４２１がインクジェット式プリンタ１００の前面側にて完全に引き出されているときは、図１５（Ａ）に示すように、棒材４２２は第１のフックホルダ４２６の第２の溝部４２６ｂに沿って後端方向へスライドし、保持材４２３の案内部４２３ａが第１のフックホルダ４２６の第１の溝部４２６ａ内にはまり込んでいる。これにより、前部上フック４２１は位置決め固定されるようになっている。
【００３５】
一方、前部上フック４２１がインクジェット式プリンタ１００の前面側にて完全に押し込まれているときは、図１５（Ｂ）に示すように、棒材４２２は第１のフックホルダ４２６の第２の溝部４２６ｂに沿って先端方向へスライドし、保持材４２３の案内部４２３ａが第２のフックホルダ４２６の溝部４２７ａに沿って閉じた端部側にスライドして、保持材４２３の係止部４２３ｂが凹部４２７ｂ内にはまり込んでいる。これにより、前部上フック４２１は位置決め固定されるようになっている。
【００３６】
図１６は、フックホルダ４３５の詳細を示す斜視図である。このフックホルダ４３５には、一端側から他端側に貫通した第１の溝部４３５ａが形成されている。この第１の溝部４３５ａは、インクジェット式プリンタ１００の背面側の一端面から所定距離までは上記保持材４２３の案内部４２３ａが挿入可能な溝幅に形成されており、そこで溝上面に段差が設けられて溝幅が一旦広げられ、そこからインクジェット式プリンタ１００の前面側の他端面に向けて溝幅が徐除に広がるように形成されている。そして、この第１の溝部４３５ａ内に揺動可能に形成され、上記棒材４２２がスライド可能にはめ込まれる第２の溝部４３５ｂが形成されている。
【００３７】
このような構成において、各前部下フック部材４３０の前部下フック４３１は、図１１に示すように、図示矢印ｂ方向、すなわちインクジェット式プリンタ１００の前面方向に引き出し・背面方向に押し込み可能になっている。すなわち、前部下フック４３１がインクジェット式プリンタ１００の前面側にて完全に引き出されているときは、図１７（Ａ）に示すように、棒材４３２はフックホルダ４３５の第２の溝部４３５ｂに沿って後端方向へスライドし、保持材４３３の案内部４３３ａがフックホルダ４３５の第１の溝部４３５ａの一端側を通って第２の溝部４３５ｂの一端まで達して、棒材４３２の自重により第２の溝部４３５ｂが下方へ旋回し、保持材４３３の係止部４２３ｂが第１の溝部４３５ａ内の段差に突き当てられている。これにより、前部下フック４３１は位置決め固定されるようになっている。
【００３８】
一方、前部下フック４３１がインクジェット式プリンタ１００の前面側に完全に押し込まれているときは、図１７（Ｂ）に示すように、棒材４３２は、フックホルダ４３５の第２の溝部４３５ｂに沿って先端方向へスライドして第１の溝部４３５ａの一端側から突き出されていると共に、第１の溝部４３５ａの一端側の溝上面に当接されている。これにより、前部下フック４３１は位置決め固定されるようになっている。
【００３９】
シート部材４４０は、図１２に示すように、布もしくは軟質プラスチックシートで矩形状に形成されており、両端部、その中間部、さらに中間部と一端部の中間部は４本のシャフト４４１、４４２、４４３、４４４にそれぞれ沿って係留されている。そして、各シャフト４４１、４４２、４４３、４４４の端部が、後部フック４１０、前部上フック４２１、前部下フック４３１に係止されるようになっている。通常、各シャフト４４１、４４２、４４３、４４４は、それぞれ平行となるように各フック４１０、４２１、４３１に係止される。
【００４０】
以上のような構成の受け装置４００は、前部上フック部材４２０の前部上フック４２１及び前部下フック部材４３０の前部下フック４３１の配置形態、シート部材４４０の各シャフト４４１、４４２、４４３、４４４の係止形態及びシート部材４４０自体の形態を変化させることにより使用態様を変更することが可能となっている。
【００４１】
すなわち、前部上フック４２１及び前部下フック４３１を所望の位置に配置して任意のシャフト４４１、４４２、４４３、４４４を持って所望の前部上フック４２１あるいは前部下フック４３１に掛け、シート部材４４０を折り畳み、折り曲げ、あるいは伸ばすことにより、本実施形態では４つのモード、すなわち運搬モード、第１後方排紙（ＪＩＳ規格のＢ０サイズ未満）モード、第２後方排紙（ＪＩＳ規格のＢ０サイズ以上）モード、前方排紙（長尺紙、厚紙）モードを選択形成すことができる。
【００４２】
このようなモードを変更する際の使用者の動作を図１８〜図３３を参照して説明する。先ず、図１８に示すように、各前部上フック部材４２０の前部上フック４２１をインクジェット式プリンタ１００の背面方向に完全に押し込み、続いて、図１９に示すように、各前部下フック部材４３０の前部下フック４３１をインクジェット式プリンタ１００の背面方向に完全に押し込み、さらに、図２０に示すように、各後部フック部材４１０を脚部１４０に垂直に差し込む。
【００４３】
次に、図２１に示すように、シート部材４４０を一端部のシャフト４４２がインクジェット式プリンタ１００の背面側に位置するように脚部１４０の下方に広げて、シャフト４４２の両端部を各後部フック部材４１０に差し込んで固定する。そして、図２２に示すように、各前部上フック４２１をインクジェット式プリンタ１００の前面方向に完全に引き出し、図２３に示すように、シャフト４４３の両端部を各前部上フック４２１のＵ字状先端部に掛け、シャフト４４１の両端部を各前部下フック４３１のＵ字状先端部に掛ける。
【００４４】
これにより、図２４に示すように、シート部材４４０の一部はインクジェット式プリンタ１００の前面側に垂れ落ちた状態になる。続いて、図２５に示すように、シャフト４４３を図示矢印ａ方向に回転させて垂れ落ちているシート部材４４０の一部をシャフト４４３周りに巻き取る。ここで、シャフト４４３は、図２５に示すように、所定間隔をあけて平行に配置された２本のシャフト４４３ａ、４４３ｂを備えている。一方のシャフト４４３ａの両端は接続部材４４３ｃに固定され、他方のシャフト４４３ｂの両端は接続部材４４３ｃに貫通されて、先端に抜け防止キャップ４４３ｄが取り付けられている。
【００４５】
このような構成のシャフト４４３は、シャフト４４３ｂの両端部が各前部上フック４２１のＵ字状先端部に掛けられ、シャフト４４３ｂと共にシャフト４４３ａが図示矢印ａ方向に回転される。したがって、１本のシャフトのみを回転させる場合と比べて幅広の２本のシャフト４４３ａ、４４３ｂを回転させる方が容易となり、垂れ落ちているシート部材４４０の一部をシャフト４４３ｂとシャフト４４３ａの周りに容易に巻き取ることができる。さらに、１本のシャフトのみを回転させる場合はシート部材４４０の巻き取りがずれるおそれがあるが、２本のシャフト４４３ａ、４４３ｂの場合は一方のシャフト４４３ａ側に偏って巻き取られるために、その自重により巻き取りのずれを防止することができる。
【００４６】
最後に、図２６に示すように、各前部上フック４２１をインクジェット式プリンタ１００の背面方向に完全に押し込む。以上により、各前部上フック部材４２０と各前部下フック部材４３０とシート部材４４０は、プリンタ本体１２０、１３０と脚部１４０の間に完全に収納された状態になり、運搬モードとすることができる。
【００４７】
一方、図２４に示すように、シート部材４４０の一部がインクジェット式プリンタ１００の前面側に垂れ落ちた状態になったら、図２７に示すように、シャフト４４４の両端部を各前部上フック４２１のＵ字状先端部に掛ける。これにより、図２８に示すように、各前部上フック４２１はインクジェット式プリンタ１００の前面方向に完全に引き出された状態になっているので、図２８及び図２９に示すように、シャフト４４４と排紙部１３０との間には隙間が生じ、かつシート部材４４０は後下方に向かって傾斜している。したがって、図２９に示すように、排紙部１３０から排出されるＪＩＳ規格のＢ０サイズ未満のロール紙Ｒ１を後方で受ける第１後方排紙モードとすることができる。
【００４８】
一方、図２４に示すように、シート部材４４０の一部がインクジェット式プリンタ１００の前面側に垂れ落ちた状態になったら、図３０に示すように、各前部下フック４３１をインクジェット式プリンタ１００の前面方向に完全に引き出す。これにより、図３０及び図３１に示すように、各前部上フック４２１はインクジェット式プリンタ１００の前面方向に完全に引き出された状態になっており、さらにインクジェット式プリンタ１００の前面側に垂れ落ちていたシート部材４４０の一部は若干の弛みを持って引き延ばされているので、シャフト４４４と排紙部１３０との間には隙間が生じ、かつシート部材４４０は後下方に向かって傾斜していると共に前下方に向かって傾斜した山形になっている。したがって、図３１に示すように、排紙部１３０から排出されるＪＩＳ規格のＢ０サイズ以上のロール紙Ｒ２の先端部を後方で受けた後にそのロール紙Ｒ２の後端部を前方で受ける第２後方排紙モードとすることができる。
【００４９】
一方、図２４に示すように、シート部材４４０の一部がインクジェット式プリンタ１００の前面側に垂れ落ちた状態になったら、図３０に示すように、各前部下フック４３１をインクジェット式プリンタ１００の前面方向に完全に引き出し、図３２に示すように、各前部上フック４２１をインクジェット式プリンタ１００の背面方向に完全に押し込む。
【００５０】
これにより、図３２及び図３３に示すように、インクジェット式プリンタ１００の前面側に垂れ落ちていたシート部材４４０の一部は完全に引き延ばされているので、シャフト４４４と排紙部１３０との間には隙間は生じておらず、かつシート部材４４０は前下方に向かって一直線に傾斜した状態になっている。したがって、図３３に示すように、排紙部１３０から排出される長尺紙、厚紙ＲＲを前方で受ける前方排紙モードとすることができる。
【００５１】
なお、上述した実施形態では、受け装置４００をインクジェット式プリンタ１００に適用した場合を説明したが、これに限られるものではなく、記録媒体を排出するその他の方式のプリンタやファクシミリ等にも適用することができる。
【００５２】
【発明の効果】
以上説明したように、本発明に係る記録媒体の受け装置及びその受け装置を備えたプリンタによれば、フック部材を所望の位置に配置してシャフトを持って所望のフック部材に掛け、シート部材を折り畳み、折り曲げ、あるいは伸ばして所望の記録媒体の受け部を形成すことができる。したがって、受け装置の使用態様の変更作業を簡易に行うことができ、さらに、プリンタの運搬作業のときに邪魔になることはなく、また所定のサイズの記録媒体の取り出し作業をプリンタの前面側から容易に行うことができるようになる。
【図面の簡単な説明】
【図１】本発明の実施の形態に係るプリンタの構成例を示す斜視図である。
【図２】図１のプリンタの主要部の内部構成例を示す斜視図である。
【図３】図１のプリンタの使用手順を示す第１の図である。
【図４】図１のプリンタの使用手順を示す第２の図である。
【図５】図１のプリンタの使用手順を示す第３の図である。
【図６】図１のプリンタの使用手順を示す第４の図である。
【図７】図１のプリンタの使用手順を示す第５の図である。
【図８】図１のプリンタの使用手順を示す第６の図である。
【図９】図１のプリンタの使用手順を示す第７の図である。
【図１０】図１のプリンタの使用手順を示す第８の図である。
【図１１】本発明の特徴的な部分である記録媒体の受け装置の概略を示す第１の斜視図である。
【図１２】本発明の特徴的な部分である記録媒体の受け装置の概略を示す第２の斜視図である。
【図１３】図１１の受け装置の前部上フック（前部下フック）の詳細を示す三面図である。
【図１４】図１１の受け装置のフックホルダの詳細を示す斜視図である。
【図１５】図１３及び図１４の前部上フック部材の動作を示す側面図である。
【図１６】図１１の受け装置の別のフックホルダの詳細を示す斜視図である。
【図１７】図１３及び図１６の前部下フック部材の動作を示す側面図である。
【図１８】図１１及び図１２の受け装置のモードを変更する際の使用者の動作を説明するための第１の図である。
【図１９】図１１及び図１２の受け装置のモードを変更する際の使用者の動作を説明するための第２の図である。
【図２０】図１１及び図１２の受け装置のモードを変更する際の使用者の動作を説明するための第３の図である。
【図２１】図１１及び図１２の受け装置のモードを変更する際の使用者の動作を説明するための第４の図である。
【図２２】図１１及び図１２の受け装置のモードを変更する際の使用者の動作を説明するための第５の図である。
【図２３】図１１及び図１２の受け装置のモードを変更する際の使用者の動作を説明するための第６の図である。
【図２４】図１１及び図１２の受け装置のモードを変更する際の使用者の動作を説明するための第７の図である。
【図２５】図１１及び図１２の受け装置のモードを変更する際の使用者の動作を説明するための第８の図である。
【図２６】図１１及び図１２の受け装置のモードを変更する際の使用者の動作を説明するための第９の図である。
【図２７】図１１及び図１２の受け装置のモードを変更する際の使用者の動作を説明するための第１０の図である。
【図２８】図１１及び図１２の受け装置のモードを変更する際の使用者の動作を説明するための第１１の図である。
【図２９】図１１及び図１２の受け装置のモードを変更する際の使用者の動作を説明するための第１２の図である。
【図３０】図１１及び図１２の受け装置のモードを変更する際の使用者の動作を説明するための第１３の図である。
【図３１】図１１及び図１２の受け装置のモードを変更する際の使用者の動作を説明するための第１４の図である。
【図３２】図１１及び図１２の受け装置のモードを変更する際の使用者の動作を説明するための第１５の図である。
【図３３】図１１及び図１２の受け装置のモードを変更する際の使用者の動作を説明するための第１６の図である。
【符号の説明】
１００      プリンタ
１１０      給紙部
１１１      ロール紙ホルダ
１１２      ロール紙カバー
１１３      スピンドル
１１４      スピンドル受け
１１５      スピンドル受け
１２０      印刷部
１２１      プリントヘッド
１２２      キャリッジ
１２３      ＦＦＣ
１２４      インクチューブ
１２５      上蓋
１２６      前蓋
１２７      レール
１２８      キャリッジベルト
１３０      排紙部
１３１      排紙ガイド
１３２      サイドカバー
１４０      脚部
１４１      コロ
１４２      支持柱
１４３      補強棒
１５０      カートリッジホルダ
４００      受け装置
４１０      後部フック部材
４２０      前部上フック部材
４２１      前部上フック
４２２      棒材
４２３      保持材
４２５      フックホルダ
４２６      第１のフックホルダ
４２７      第２のフックホルダ
４３０      前部下フック部材
４３１      前部下フック
４３２      棒材
４３３      保持材
４３５      フックホルダ
４４０      シート部材
４４１、４４２、４４３、４４４      シャフト
【図１】
0004604350.tif 000002
【図２】
0004604350.tif 000003
【図３】
0004604350.tif 000004
【図４】
0004604350.tif 000005
【図５】
0004604350.tif 000006
【図６】
0004604350.tif 000007
【図７】
0004604350.tif 000008
【図８】
0004604350.tif 000009
【図９】
0004604350.tif 000010
【図１０】
0004604350.tif 000011
【図１１】
0004604350.tif 000012
【図１２】
0004604350.tif 000013
【図１３】
0004604350.tif 000014
【図１４】
0004604350.tif 000015
【図１５】
0004604350.tif 000016
【図１６】
0004604350.tif 000017
【図１７】
0004604350.tif 000018
【図１８】
0004604350.tif 000019
【図１９】
0004604350.tif 000020
【図２０】
0004604350.tif 000021
【図２１】
0004604350.tif 000022
【図２２】
0004604350.tif 000023
【図２３】
0004604350.tif 000024
【図２４】
0004604350.tif 000025
【図２５】
0004604350.tif 000026
【図２６】
0004604350.tif 000027
【図２７】
0004604350.tif 000028
【図２８】
0004604350.tif 000029
【図２９】
0004604350.tif 000030
【図３０】
0004604350.tif 000031
【図３１】
0004604350.tif 000032
【図３２】
0004604350.tif 000033
【図３３】
0004604350.tif 000034